(57)【要約】  本開示は、眼内レンズを保護するためのホルダ、および使用方法に関する。ホルダは、後壁と、後壁から前方に延在しかつ前縁部を有する環状壁とを含む。内部空間が、後壁および環状壁によって画定される。内部空間は、眼内レンズのレンズ体を受け入れるための大きさとされる。ホルダはまた、眼内レンズを固定するように構成されたロック特徴部を含む。ロック特徴部の少なくとも一部分は、ホルダ内に位置決めされたときに眼内レンズの前方に位置する。
2020526275.tif 000002
【特許請求の範囲】
【請求項１】
眼内レンズを保護するためのホルダであって、
後壁と、
前記後壁から前方に延在し、かつ、前縁部を含む、環状壁と、
前記眼内レンズを固定するように構成され、前記ホルダ内に位置決めされたときにその少なくとも一部分が前記眼内レンズの前方に位置する、ロック特徴部と、
前記後壁および前記環状壁によって画定され、前記眼内レンズのレンズ体を受け入れるための大きさとされた、内部空間と、
を備える、ホルダ。
【請求項２】
前記前縁部内に形成された少なくとも1つの凹部をさらに備え、各凹部が、前記眼内レンズのハプティックを受け入れるための大きさとされる、請求項1に記載のホルダ。
【請求項３】
前記少なくとも1つの凹部が、互いに直径方向に向かい合って位置決めされた2つの凹部を含む、請求項2に記載のホルダ。
【請求項４】
前記ロック特徴部が、レセプタを含み、前記レセプタが、前記前縁部内に形成された凹部を含み、前記凹部が、前記眼内レンズのハプティックを受け入れるための大きさとされる、請求項1に記載のホルダ。
【請求項５】
前記環状壁が、外側表面および内側表面を含み、前記内側表面が、前記ロック特徴部と前記後壁との間に位置決めされた内部レッジを含む、請求項1に記載のホルダ。
【請求項６】
前記ロック特徴部が、前記環状壁から径方向内方に延在するリップを含む、請求項1に記載のホルダ。
【請求項７】
前記後壁が少なくとも1つの通気穴を含む、請求項1から6のいずれか一項に記載のホルダ。
【請求項８】
前記後壁が2つの通気穴を含む、請求項7に記載のホルダ。
【請求項９】
前記後壁が平面状である、請求項1から6のいずれか一項に記載のホルダ。
【請求項１０】
前記後壁が曲面状である、請求項1から6のいずれか一項に記載のホルダ。
【請求項１１】
ポリメチルメタクリレートを含む、請求項1から6のいずれか一項に記載のホルダ。
【請求項１２】
前記環状壁の前記前縁部が、面取り縁部を含む、請求項1から6のいずれか一項に記載のホルダ。
【請求項１３】
前記環状壁の前記前縁部が、丸みを帯びた縁部を含む、請求項1から6のいずれか一項に記載のホルダ。
【請求項１４】
眼内レンズを保護するための方法であって、
前記眼内レンズをホルダ内に挿入するステップであって、前記ホルダが、
後壁、および、
前記後壁から前方に延在し、かつ、前記眼内レンズを固定するように構成されたロック特徴部を含む、環状壁
を備える、ステップと、
前記ロック特徴部の少なくとも一部分が前記眼内レンズの前方に位置するように、前記眼内レンズを前記後壁と前記ロック特徴部の前記一部分との間に位置決めするステップと、
を含む、方法。
【請求項１５】
前記眼内レンズのハプティックを前記環状壁の前縁部内の凹部と位置合わせするステップをさらに含む、請求項14に記載の方法。
【請求項１６】
前記ロック特徴部が、少なくとも1つのレセプタを含み、前記眼内レンズを位置決めするステップが、前記眼内レンズの各ハプティックが対応するレセプタによって固定されるように前記眼内レンズを第1の方向に回転させることを含む、請求項14または15に記載の方法。
【請求項１７】
前記第1の方向とは反対の第2の方向に前記眼内レンズを回転させて前記眼内レンズを前記ホルダから取り外すステップをさらに含む、請求項16に記載の方法。
【発明の詳細な説明】
【技術分野】
【０００１】
本開示は、保護レンズホルダに関する。
【背景技術】
【０００２】
眼内レンズ(IOL)は、白内障または近視の治療の一環として眼に埋め込まれるレンズである。IOLは、通常、レンズと、眼の内側の水晶体嚢内の所定の位置にレンズを保持するためのハプティック(haptic)とを含む。
【０００３】
眼内レンズは、特定の屈折度数に機械加工することができる汎用ブランクから形成され得る。レンズを最終加工する1つの方法は、ブランクを低温凍結(cryofreeze)して材料をより堅くすることである。次いで、堅くされたブランクは、レンズ体および/またはハプティックスの形状を形成するために研削される。レンズ体の表面(例えば、前面)が、屈折度数を生じさせるために旋削され得る。眼内レンズが形成された後、レンズ体は、像質を向上させるために、研削および/または旋削行為による跡を除去するように研磨(例えば、タンブル研磨)され得る。この方法のいくつかの実施では、レンズ体の一方の表面(例えば、後面)および/またはレンズ体の周囲は、機械加工または研磨される必要がない。
【発明の概要】
【課題を解決するための手段】
【０００４】
本開示は、機械加工または研磨される必要がないレンズ体の表面および/または縁部を保護するためのレンズホルダ、ならびに使用方法を対象とする。レンズホルダは、レンズ体の周辺部およびレンズ体の一方の表面の周りに保護キャップを提供するが、レンズ体の他方の表面は、研磨のために露出されたままである。レンズホルダは、保護されたレンズ表面をその最初に成形された状態に維持すると同時に、他方の表面が目下の研磨方法(例えば、タンブル研磨)を使用して研磨されることをなおも可能とする。
【０００５】
いくつかの実施形態では、保護レンズホルダは、後壁と、後壁から前方に延在する環状壁とを含む。環状壁は、前縁部を含む。レンズホルダはまた、眼内レンズを固定するように構成されたロック特徴部を含む。ロック特徴部の少なくとも一部分は、眼内レンズがホルダ内に位置決めされたときに、眼内レンズの前方に位置する。後壁および環状壁により、内部空間が画定される。内部空間は、眼内レンズのレンズ体を受け入れる大きさとされる。
【０００６】
使用に際して、眼内レンズは、保護レンズホルダに挿入されて、ロック特徴部の少なくとも一部分が眼内レンズの前方に位置するように、後壁とロック特徴部の一部分との間に位置決めされ得る。
【０００７】
本明細書において開示されるいかなる特徴、構造、またはステップも、本明細書において開示される任意の他の特徴、構造、またはステップに置き換えられるかもしくはそれらと組み合わされてもよく、または省略されてもよい。さらに、本開示を要約する目的のために、本発明のいくつかの態様、利点、および特徴が、本明細書において説明されている。そのような利点のいずれかまたは全てが、必ずしも本明細書において開示される本発明の任意の特定の実施形態に従って達成されるわけではないことが、理解されるべきである。本開示の個々の態様は、必須のものまたは絶対に必要なものではない。
【図面の簡単な説明】
【０００８】
【図１Ａ】レンズホルダの一実施形態の斜視図である。
【図１Ｂ】眼内レンズを含む、図1Aに示されたレンズホルダの斜視図である。
【図１Ｃ】図1Bに示されたレンズホルダおよび眼内レンズの上面図である。
【図１Ｄ】図1Bに示されたレンズホルダおよび眼内レンズの側面図である。
【図１Ｅ】線1E-1Eに沿った、図1Cに示されたレンズホルダおよび眼内レンズの断面図である。
【図２Ａ】レンズホルダの別の実施形態の斜視図である。
【図２Ｂ】眼内レンズを含む、図2Aに示されたレンズホルダの斜視図である。
【図２Ｃ】図2Bに示されたレンズホルダおよび眼内レンズの上面図である。
【図２Ｄ】線2D-2Dに沿った、図2Cに示されたレンズホルダおよび眼内レンズの断面図である。
【図２Ｅ】図2Bに示されたレンズホルダおよび眼内レンズの側面図である。
【図３Ａ】レンズホルダのさらに別の実施形態の斜視図である。
【図３Ｂ】眼内レンズを含む、図3Aに示されたレンズホルダの斜視図である。
【図３Ｃ】図3Bに示されたレンズホルダおよび眼内レンズの上面図である。
【図３Ｄ】図3Bに示されたレンズホルダおよび眼内レンズの側面図である。
【図３Ｅ】線3E-3Eに沿った、図3Cに示されたレンズホルダおよび眼内レンズの断面図である。
【発明を実施するための形態】
【０００９】
様々な実施形態が例示の目的のために添付の図面に示されているが、それらは決して実施形態の範囲を限定するものとして解釈されるべきではない。さらに、開示される様々な実施形態の種々の特徴は、本開示の一部であるさらなる実施形態を形成するように組み合わされてよい。
【００１０】
図1A〜図1Eは、保護レンズホルダ100を示す。保護レンズホルダ100は、後壁102を含む。後壁102のレンズに面する側の表面は、平面状または曲面状とされ得る。環状壁104が、後壁102から前方に延在し、かつ、前縁部106を含む。環状壁104の内径は、少なくとも約5.0mmかつ/または約7.5mm以下、例えば約6.0mmとされ得る。環状壁104の外側表面の厚さt1は、図1Dに示されるように、少なくとも約1.0mmかつ/または約2.0mm以下、例えば約1.5mmとされ得る。眼内レンズ150を受け入れるための内部空間110が、後壁102および環状壁104によって画定される。
【００１１】
レンズホルダ100は、前縁部106内に形成されて環状壁104を少なくとも部分的に貫通して延在する、少なくとも1つの凹部114を含み得る。図1A〜図1Eに示されるように、レンズホルダ100は、互いに直径方向に向かい合って位置決めされた2つの凹部114を含む。各凹部114は、眼内レンズ150のハプティック152を受け入れるための大きさとされる(図1Bおよび図1C参照)。図1Dに示されるように、各凹部114は、少なくも約2.0mmかつ/または約3.0mm未満、例えば約2.5mmの幅w1を有し得る。各凹部114は、少なくとも約1.0mmかつ/または約2.0mm未満、例えば約1.0mmまたは約1.25mmの深さd1を有し得る。
【００１２】
レンズホルダ100は、眼内レンズ150をレンズホルダ100内に固定するように構成されたロック特徴部を含む。ロック特徴部は、環状壁104の径方向内方に延在するリップ108を含む。リップ108は、環状壁104から径方向内方に延在する2つ以上の別個のリップ部分を有する不連続リップであってもよい。
【００１３】
リップ108は、眼内レンズ150がリップ108と後壁102との間の溝または空間内に位置決めされ得るように、後壁102から離間される(図1E参照)。リップ108と後壁102との間の溝または空間は、後壁102に垂直に測定された、少なくとも約0.2mmかつ/または約0.5mm未満、例えば0.25mmまたは0.27mmの深さを有し得る。どの位置においても、リップ108は、環状壁104から径方向内方に約1mmを超えては(または約0.7mmを超えては、または約0.5mmを超えては)延在しない。眼内レンズ150がホルダ100内に位置決めされたときに、リップ108は、レンズ体154の周辺部から径方向内方に約1.0mmを超えては(または約0.7mmを超えては、または約0.5mmを超えては)延在しない。
【００１４】
図に示されるように、リップ108は、環状壁104の前縁部106と後壁102との間に位置決めされる。前縁部106は、リップ108に向かって延在する面取り縁部を含み得る。しかし、他の構成では、リップ108は、環状壁104の前縁部106を形成し得る。
【００１５】
図示していないが、レンズホルダ100の任意の縁部(例えば、前縁部106、後壁102と環状壁104との間の縁部、凹部114の縁部、および/またはリップ108の縁部)は、丸みを帯びた縁部であってもよい。眼内レンズ150を挿入するのに先立ち、レンズホルダ100は、レンズホルダ100が眼内レンズ150にかき傷をつけるのを防ぐために、タンブル研磨されるか他の方法で滑らかにされ得る。
【００１６】
後壁102は、研磨プロセス中に空気を逃がして、レンズホルダ100が眼内レンズ150を歪ませるのを防ぐために、少なくとも1つの空気穴116を含み得る。各通気穴116は、少なくとも約0.1mm、または少なくとも約0.15mmの直径を有し得る。
【００１７】
図1Aに示されるように、レンズホルダ100は、2つの通気穴116を含み得る。複数の通気穴116を含む構成では、各通気穴116は、後壁102の中心および/または環状壁104の内側表面から等距離の所に位置決めされ得る。
【００１８】
レンズホルダ100は、研磨プロセスに耐えるのに十分に硬くかつ不活性な任意の医療グレードの生体適合性材料を含み得る。例えば、レンズホルダ100は、ポリエーテルイミド(PEI)、ポリメチルメタクリレート(PMMA)、ポリテトラフルオロエチレン(PTFE)、ポリオキシメチレン、および/または他の適切な材料を含み得る。
【００１９】
使用に際して、眼内レンズ150は、レンズホルダ100に対してある角度をなしてレンズホルダ100内に挿入され得る。眼内レンズ150をレンズホルダ100内で固定するために、レンズ体154の周縁部の第1の部分が、リップ108と後壁102との間に位置決めされ、次いで、レンズ体154の周縁部の第2の部分が、リップ108と後壁102との間に位置決めされ得る。位置決めされると、各ハプティック152は、対応する凹部114と位置合わせされる(図1Bおよび図1C参照)。また、眼内レンズ150は、リップ108が眼内レンズ150の前方に位置するように、後壁102とリップ108の少なくとも一部分との間に位置決めされ得る(図1E参照)。
【００２０】
眼内レンズ150およびレンズホルダ100は、一緒に研磨を受ける。例えば2日間から3日間にわたり得る研磨の後、眼内レンズ150は、ハプティック152のうちの1つを(例えば、鉗子を使用して)掴んで眼内レンズ150をレンズホルダ100から引き出すことにより、レンズホルダ100から取り外され得る。
【００２１】
図2A〜図2Eは、別の保護レンズホルダ200を示す。保護レンズホルダ200は、後壁202を含む。後壁202のレンズに面する側の表面は、平面状または曲面状とされ得る。環状壁204が、後壁202から前方に延在し、かつ、前縁部206を含む。環状壁204の内径は、少なくとも約5.0mmかつ/または約7.5mm以下、例えば約6.0mmとされ得る。環状壁204の外側表面の厚さt2は、図2Dに示されるように、少なくとも約1.0mmかつ/または約2.0mm以下、例えば約1.5mmとされ得る。内部空間210が、後壁202および環状壁204によって画定される。
【００２２】
レンズホルダ200は、前縁部206内に形成されて環状壁204を少なくとも部分的に貫通して延在する、少なくとも1つの凹部214を含み得る。図2A〜図2Eに示されるように、レンズホルダ200は、互いに直径方向に向かい合って位置決めされた2つの凹部214を含む。各凹部214は、眼内レンズ250のハプティック252を受け入れるための大きさとされる(図2Bおよび図2C参照)。図2Eに示されるように、各凹部214は、少なくとも約2.0mmかつ/または約4.0mm未満、例えば3.0mmの幅w2を有し得る。各凹部214は、少なくとも約0.25mmかつ/または2.0mm未満、例えば約0.5mmの深さd2を有し得る。
【００２３】
レンズホルダ200は、眼内レンズ250をレンズホルダ200内に固定するように構成されたロック特徴部を含む。ロック特徴部は、少なくとも1つのレセプタ208(例えば、差込みレセプタ)を含み得る。各レセプタ208は、凹部214のうちの1つと、環状壁204から突出して凹部214の部分的な幅にまたがるアーム212とを含み得る。図2Eにおいてページにまたがって測定されるアームの幅は、少なくとも約0.5mmまたは少なくとも約1.0mm、例えば1.0mmとされ得る。
【００２４】
図2Bおよび図2Cに示されるように、各レセプタ208は、眼内レンズのハプティック252のうちの1つをアーム212と環状壁204の残りの部分との間のスロット218内に固定することができる。眼内レンズ250がレンズホルダ200内に位置決めされると、各レセプタ208の少なくとも一部分(例えば、アーム212)が、眼内レンズ250の前方に位置する。後壁202に垂直に測定されたスロット218の深さは、少なくとも約0.2mm、または少なくとも約0.3mm、例えば約0.315mmとされ得る。
【００２５】
図示していないが、レンズホルダ200の任意の縁部(例えば、前縁部206、または後壁202と環状壁204との間の縁部、凹部214の縁部、レセプタ208の縁部)は、丸みを帯びた縁部であってもよい。眼内レンズ250を挿入するのに先立ち、レンズホルダ200は、レンズホルダ200が眼内レンズ250にかき傷をつけるのを防ぐために、タンブル研磨され得る。
【００２６】
後壁202は、研磨プロセス中に空気を逃がして、レンズホルダ200が眼内レンズ250を歪ませるのを防ぐために、少なくとも1つの通気穴216を含む。各通気穴216は、少なくとも約0.1mm、または少なくとも約0.15mmの直径を有し得る。
【００２７】
図2Aに示されるように、レンズホルダ200は、2つの通気穴216を含む。通気穴216。複数の通気穴216を含む構成では、各通気穴216は、後壁202の中心および/または環状壁204の内側表面から等距離の所に位置決めされ得る。
【００２８】
レンズホルダ200は、研磨プロセスに耐えるのに十分に硬くかつ不活性な任意の医療グレードの生体適合性材料を含み得る。例えば、レンズホルダ200は、ポリメチルメタクリレート(PMMA)、ポリテトラフルオロエチレン(PTFE)、ポリオキシメチレン、および/または他の適切な材料を含み得る。
【００２９】
使用に際して、眼内レンズ250は、各ハプティック252が対応する凹部254と位置合わせされるように、レンズホルダ200内に挿入され得る。眼内レンズ250を第1の方向に回転させると、各ハプティック252が対応するレセプタ208内で固定される。
【００３０】
眼内レンズ250およびレンズホルダ200は、一緒に研磨を受ける。第1の方向とは反対の第2の方向に眼内レンズ250を回転させると、眼内レンズ250をレンズホルダ200から取り外すことが可能になる。
【００３１】
図3A〜図3Eは、別の保護レンズホルダ300を示す。保護レンズホルダ300は、後壁302を含む。後壁302のレンズに面する側の表面は、平面状または曲面状とされ得る。環状壁304が、後壁302から前方に延在し、かつ、前縁部306を含む。環状壁304は、外側表面320および内側表面322を有する。内側表面322は、段付きの輪郭を有し得る。例えば、図3Aに示されるように、内側表面322は、第1の壁部分332、内部レッジ330、および第2の壁部分334を有する。第1の壁部分332は、後壁302から前方に延在する。内部レッジ330は、第1の壁部分332により後壁302から離されるように、第1の壁部分332から径方向外方に延在する。内部レッジ330は、後壁302のレンズに面する側の表面に平行とされ得る。第2の壁部分334は、内部レッジ330から前方に延在する。第2の壁部分334は、第1の壁部分332と同心とされ得る。前縁部306は、少なくとも第2の壁部分334により、内部レッジ330から離される。
【００３２】
眼内レンズ350を受け入れるための内部空間310が、後壁302および環状壁304によって画定される。内部空間310は、第1の内部領域336、および、第1の内部領域336の前方の第2の内部領域338を含む(図3E参照)。第1の内部領域336は、後壁302のレンズに面する側の表面および第1の壁部分332によって画定され得る。第2の内部領域338は、内部レッジ330および第2の壁部分334によって画定され得る。第1の内部領域336は、第1の内径A1を含み、第2の内部領域338は、第2の内径A2を含む。第2の内径A2は、第1の内径A1よりも少なくとも10%大きいか、第1の内径A1よりも少なくとも20%大きいか、第1の内径A1よりも少なくとも30%大きいか、第1の内径A1よりも少なくとも40%大きいか、または他の大きさである。第1の内径A1は、約7.5mm以下、約6.5mm以下、約5.5mm以下、約4.5mm以下、または他の大きさとされ得る。
【００３３】
第1の内部領域336は、後壁302のレンズに面する側の表面から内部レッジ330まで測定された第1の深さB1を含み、第2の内部領域338は、内部レッジ330からリップ308まで測定された第2の深さB2を含む。第1の深さB1は、第2の深さB2以上であってよく、例えば、第1の深さB1は、第2の深さB2の少なくとも1.25倍、1.5倍、または2.0倍とされ得る。第1の深さB1は、約3.0mm以下、約2.0mm以下、約1.5mm以下、約1.0mm以下、または他の大きさとされ得る。
【００３４】
レンズホルダ300は、前縁部306内に形成されて環状壁304を例えば前縁部306から内部レッジ330まで少なくとも部分的に貫通して延在する、少なくとも1つの凹部314を含み得る。図3A〜図3Eに示されるように、レンズホルダ300は、互いに直径方向に向かい合って位置決めされた2つの凹部314を含む。各凹部314は、眼内レンズ350のハプティック352を受け入れるための大きさとされる(図3Bおよび図3C参照)。図3Dに示されるように、各凹部314は、少なくとも約2.0mmかつ/または約3.0mm未満、例えば約2.5mmの幅W3を有し得る。各凹部314は、少なくとも約1.0mmかつ/または約2.0mm未満、例えば約1.0mmまたは約1.25mmの深さd3を有し得る。
【００３５】
レンズホルダ300は、眼内レンズ350をレンズホルダ300内に固定するように構成されたロック特徴部を含む。ロック特徴部は、例えば環状壁304の前縁部306において環状壁304の径方向内方に延在するリップ308を含む。リップ308は、環状壁304から径方向内方に延在する2つ以上の別個のリップ部分を有する不連続リップであってもよい。リップ308は、眼内レンズ350にかき傷をつけるのを避けるために、丸みを帯びた輪郭を含んでもよい。
【００３６】
リップ308は、眼内レンズ350がリップ308と内部レッジ330との間の溝または空間内に位置決めされ得るように、内部レッジ330から離間される。図3Eに示されるように、レンズ体354の周辺部が、レンズ体354が第1の内部領域336により後壁302から離間されるように、内部レッジ330に据えられ得る。眼内レンズ350がホルダ300内に位置決めされたときに、リップ308は、レンズ体354の周辺部から径方向内方に約1.0mmしか(または、約0.7mmしか、または、約0.5mmしか)延在しない。
【００３７】
レンズホルダ100、102と同様に、後壁302は、研磨プロセス中に空気を逃がしてレンズホルダ300が眼内レンズ350を歪ませるのを防ぐために、少なくとも1つの通気穴を含み得る。
【００３８】
レンズにホルダ300は、研磨プロセスに耐えるのに十分に硬くかつ不活性な任意の医療グレードの生体適合性材料を含み得る。例えば、レンズホルダ300は、ポリエーテルイミド(PEI)、ポリメチルメタクリレート(PMMA)、ポリテトラフルオロエチレン(PTFE)、ポリオキシメチレン、および/または他の適切な材料を含み得る。
【００３９】
使用に際して、眼内レンズ350は、レンズホルダ300に対してある角度をなしてレンズホルダ300内に挿入され得る。眼内レンズ350をレンズホルダ300内で固定するために、レンズ体354の周縁部の第1の部分が、リップ308と内部レッジ330との間に位置決めされ、次いで、レンズ体354の周縁部の第2の部分が、リップ308と内部レッジ330との間に位置決めされ得る。位置決めされると、各ハプティック352は、対応する凹部314と位置合わせされる(図3Bおよび図3C参照)。また、眼内レンズ350は、リップ308が眼内レンズ350の前方に位置するように、内部レッジ330とリップ308の少なくとも一部分との間に位置決めされ得る(図3E参照)。
【００４０】
眼内レンズ350およびレンズホルダ300は、一緒に研磨を受ける。例えば2日間から3日間にわたり得る研磨の後、眼内レンズ350は、ハプティック352のうちの1つを(例えば、鉗子を使用して)掴んで眼内レンズ350をレンズホルダ300から引き出すことにより、レンズホルダ300から取り外され得る。
【００４１】
本明細書において、レンズホルダは、研磨中の眼内レンズを保護するものとして説明されたが、レンズホルダは、他の製造ステップおよび/または包装において眼内レンズを保護するために使用されてもよい。
【００４２】
特定の実施形態および実施例が本明細書において説明されたが、本開示において図示されかつ説明されたレンズホルダの多くの態様は、なおもさらなる実施形態または許容可能な実施例を形成するために異なって組み合わせられかつ/または修正され得ることが、当業者によって理解されるであろう。全てのそのような修正形態および変形形態は、本明細書において本開示の範囲に含まれることが意図されている。幅広い設計および手法が可能である。本明細書において開示される特徴、構造、またはステップは、必須のものまたは絶対に必要なものではない。
【００４３】
本開示においては、いくつかの態様、利点、および新規な特徴が、本明細書において説明される。必ずしも全てのそのような利点が任意の特定の実施形態に従って達成され得るのではないことが、理解されるべきである。したがって、例えば、本開示は、本明細書において教示または提案され得るような他の利点を達成する必要なしに、本明細書において教示されるような1つの利点または一群の利点を達成する態様で具現化または実施され得ることを、当業者は認識するであろう。
【００４４】
さらに、例示的な実施形態が本明細書において説明されたが、等価な要素、修正、省略、(例えば種々の実施形態にまたがる態様の)組合せ、翻案、および/または変更を有するありとあらゆる実施形態の範囲が、本開示に基づき当業者によって理解されるであろう。特許請求の範囲における限定は、特許請求の範囲において用いられる用語に基づいて広範に解釈されるべきであり、また、本明細書においてまたは本出願の手続き中に説明される実施例に限定されるものではなく、それらの実施例は、非排他的であると解釈されるべきである。さらに、開示されたプロセスおよび方法の行為は、行為を並べ換えること、および/または追加の行為を挿入すること、および/または行為を削除することを含めて、任意の態様で修正され得る。したがって、説明および実施例は単に例示と見なされるものであり、真の範囲および精神は特許請求の範囲およびそれらの均等物の全範囲によって示されることが、意図されている。
【００４５】
本明細書において使用される条件的な用語、とりわけ「〜できる(can)」、「〜してもよい(might、may)」、「例えば(e.g.)」などは、別段の記載がない限り、または、使用される文脈において別のように理解されるのでない限り、特定の特徴、要素、および/または状態をいくつかの実施形態は含むが他の実施形態は含まないことを伝えるように、一般に意図されている。したがって、そのような条件的な用語は、一般に、特徴、要素、ブロック、および/または状態が1つまたは複数の実施形態に多少なりとも必要とされること、あるいは、それらの特徴、要素、および/または状態が任意の特定の実施形態に含まれるかまたは任意の特定の実施形態において行われるかどうかを決定するための論理を筆者が入力しているまたは促しているかどうかに関わらず1つまたは複数の実施形態が必ず含むことを意味するようには意図されていない。
【００４６】
本明細書において開示される方法は、実践者によって行われるいくつかの行為を含み得る。しかし、方法はまた、明示的にまたは含意により、それらの行為の任意の第3者指示(third-party instruction)を含み得る。例えば、「自己拡張型ステントを前進させる」などの行為は、「自己拡張型ステントを前進させるように指示する」を含む。
【００４７】
本明細書において開示される範囲はまた、ありとあらゆる重複、部分的範囲、およびそれらの組合せを含む。「最大で〜まで(up to)」、「少なくとも(at least)」、「〜超(greater than)」、「〜未満(less than)」、「〜と〜との間(between)」などの用語は、記載された数字を含む。「約(about)」または「おおよそ(approximately)」などの用語が先行する数字は、記載された数字を含むものであり、また、状況に基づいて(例えば、その状況下で無理なく可能な限り正確に、例えば±1%、±5%、±10%、±15%、など)解釈されるべきである。例えば、「約1.0mm」は、「1.0mm」を含む。「実質的に(substantially)」などの用語が先行する語句は、記載された語句を含むものであり、また、状況に基づいて(例えば、その状況下で無理なく可能な限りの程度で)解釈されるべきである。例えば、「実質的に直線状の」は、「直線状の」を含む。
【００４８】
以下の例示的な実施形態は、本明細書において開示された特徴の組合せのいくつかの可能な置換を特定するが、特徴の組合せの他の置換も可能である。
1.  眼内レンズを保護するためのホルダであって、
後壁と、
後壁から前方に延在し、かつ、前縁部を含む、環状壁と、
眼内レンズを固定するように構成され、ホルダ内に位置決めされたときにその少なくとも一部分が眼内レンズの前方に位置する、ロック特徴部と、
後壁および環状壁によって画定され、眼内レンズのレンズ体を受け入れるための大きさとされた、内部空間と、
を備える、ホルダ。
2.  前縁部内に形成された少なくとも1つの凹部をさらに備え、各凹部が、眼内レンズのハプティックを受け入れるための大きさとされる、実施形態1に記載のホルダ。
3.  少なくとも1つの凹部が、互いに直径方向に向かい合って位置決めされた2つの凹部を含む、実施形態2に記載のホルダ。
4.  ロック特徴部が、環状壁の径方向内方に延在するリップを含み、リップが、眼内レンズがリップと後壁との間に位置決めされ得るように、後壁から離間される、実施形態1から3のいずれか1つに記載のホルダ。
5.  リップが、環状壁の前縁部と後壁との間に位置決めされる、実施形態4に記載のホルダ。
6.  どの位置においても、リップが環状壁から径方向内方に約0.7mmを超えては延在しない、実施形態4または5に記載のホルダ。
7.  ロック特徴部が、環状壁の径方向内方に延在する不連続リップを含む、実施形態4から6のいずれか1つに記載のホルダ。
8.  ロック特徴部が、レセプタを含み、レセプタが、前縁部内に形成された凹部を含み、凹部が、眼内レンズのハプティックを受け入れるための大きさとされる、実施形態1から3のいずれか1つに記載のホルダ。
9.  環状壁が、外側表面および内側表面を含み、内側表面が、ロック特徴部と後壁との間に位置決めされた内部レッジを含む、実施形態1から8のいずれか1つに記載のホルダ。
10.  後壁が少なくとも1つの通気穴を含む、実施形態1から8のいずれか1つに記載のホルダ。
11.  後壁が2つの通気穴を含む、実施形態9に記載のホルダ。
12.  後壁が平面状である、実施形態1から10のいずれか1つに記載のホルダ。
13.  後壁が曲面状である、実施形態1から10のいずれか1つに記載のホルダ。
14.  PMMAを含む、実施形態1から12のいずれか1つに記載のホルダ。
15.  周壁の前縁部が、面取りされる、実施形態1から13のいずれか1つに記載のホルダ。
16.  後壁が曲面状である、実施形態1から13のいずれか1つに記載のホルダ。
17.  眼内レンズを保護するための方法であって、
眼内レンズをホルダ内に挿入するステップであって、ホルダが、
後壁、および、
後壁から前方に延在し、かつ、眼内レンズを固定するように構成されたロック特徴部を含む、環状壁
を備える、ステップと、
ロック特徴部の少なくとも一部分が眼内レンズの前方に位置するように、眼内レンズを後壁とロック特徴部の少なくとも一部分との間に位置決めするステップと、
を含む、方法。
18.  ロック特徴部がリップを含み、眼内レンズを位置決めするステップが、
眼内レンズのレンズ体の周縁部の第1の部分をリップと後壁との間に位置決めすること、および、
レンズ体の周縁部の第2の部分をリップと後壁との間に位置決めすること
を含む、実施形態17に記載の方法。
19.  眼内レンズを挿入するステップが、眼内レンズをホルダに対してある角度をなして挿入することを含む、実施形態17または18に記載の方法。
20.  眼内レンズのハプティックを環状壁の前縁部内の凹部と位置合わせするステップをさらに含む、実施形態17から19のいずれか1つに記載のホルダ。
21.  ロック特徴部が、少なくとも1つのレセプタを含み、眼内レンズを位置決めするステップが、眼内レンズの各ハプティックが対応するレセプタによって固定されるように眼内レンズを第1の方向に回転させることを含む、実施形態17に記載の方法。
22.  第1の方向とは反対の第2の方向に眼内レンズを回転させて眼内レンズをホルダから取り外すステップをさらに含む、実施形態21に記載の方法。
【符号の説明】
【００４９】
100  保護レンズホルダ、レンズホルダ、ホルダ
102  後壁
104  環状壁
106  前縁部
108  リップ
110  内部空間
114  凹部
116  通気穴
150  眼内レンズ
152  ハプティック
154  レンズ体
200  保護レンズホルダ、レンズホルダ
202  後壁
204  環状壁
206  前縁部
208  レセプタ
210  内部空間
212  アーム
214  凹部
216  通気穴
218  スロット
250  眼内レンズ
252  ハプティック
300  保護レンズホルダ
302  後壁
304  環状壁
306  前縁部
308  リップ
310  内部空間
314  凹部
320  外側表面
322  内側表面
330  内部レッジ
332  第1の壁部分
334  第2の壁部分
336  第1の内部領域
338  第2の内部領域
350  眼内レンズ
352  ハプティック
354  レンズ体
A1  第1の内径
A2  第2の内径
B1  第1の深さ
B2  第2の深さ
d1  深さ
d2  深さ
d3  深さ
t1  厚さ
t2  厚さ
w1  幅
w2  幅
w3  幅
【図１Ａ】
2020526275.tif 000003
【図１Ｂ】
2020526275.tif 000004
【図１Ｃ】
2020526275.tif 000005
【図１Ｄ】
2020526275.tif 000006
【図１Ｅ】
2020526275.tif 000007
【図２Ａ】
2020526275.tif 000008
【図２Ｂ】
2020526275.tif 000009
【図２Ｃ】
2020526275.tif 000010
【図２Ｄ】
2020526275.tif 000011
【図２Ｅ】
2020526275.tif 000012
【図３Ａ】
2020526275.tif 000013
【図３Ｂ】
2020526275.tif 000014
【図３Ｃ】
2020526275.tif 000015
【図３Ｄ】
2020526275.tif 000016
【図３Ｅ】
2020526275.tif 000017
【国際調査報告】
2020526275.tif 000018
2020526275.tif 000019